(57)【要約】      （修正有）【課題】多種多用の支援サービスが提供できる巡回車輌で、商用多用機能に接続可能なビジネス支援装置のフランチャイズチェーン展開をする。【解決手段】契約者の建物等に対して、赤外線センサー網とＣＣＤカメラシステムを設置して、検知した信号を情報処理中継機等で通信ネットワーク等の経路を通して情報信号等を直接巡回車輌内もしくは車輌保管場所に設置されているＣＴＩシステムサーバーに搬送され、情報分析が行われ処理された情報等が、ＵＳＢプラグケーブルにより接続したポータブルカーナビ・パソコン・ＰＤＡ等の液晶画面上に表示でき、視覚・聴覚等により認識でき、内蔵もしくは外付けしたモデムに接続した携帯電話・ＩＰ電話等の回線網を介して建物内の契約者が利用する電話回線等に繋がり通話等でき、小回りの利く地域に密着したサービスが提供できるビジネス支援装置のフランチャイズチェーン展開をする。【選択図】図１
2004342062.tif 000002
【特許請求の範囲】
【請求項１】
巡回車輌もしくは車輌保管場所から半径３キロメートル以内に限定在住の契約者の建物等に対して、赤外線センサー網と音声・画像・映像・位置情報処理中継機（用途別）等を設置して、通信ネットワーク（通信手段）等の経路を通して音声・画像・映像・位置情報信号等が直接巡回車輌内もしくは車輌保管場所に設置されているＣＴＩ（コンピュータ・テレフォニー・インテグレーション）システムサーバーに搬送され、情報分析が行われ、処理された音声・画像・映像・位置情報等がＵＳＢプラグ・ケーブルにより接続したポータブルカーナビ（歩行中使用可能）・パソコン・ＰＤＡ等の液晶画面上に音声・画像・映像・位置情報表示等でき、視覚・聴覚等により認識し、内蔵もしくは外付けしたモデムに接続した携帯電話・ＩＰ電話等の回線網を介して建物内の契約者が利用する電話回線等に繋がり通話等でき、小回りの利く地域に密着したサービスが提供できる巡回車輌内外乗せ換え簡単で商用多用機能に接続可能なビジネス支援装置のフランチャイズチェーン展開を特徴とする。
【請求項２】
巡回車輌もしくは車輌保管場所から半径３キロメートル以内に限定在住の地域密着の契約者の建物等の外周に赤外線センサー（窓・出入口附近等に埋設・敷設・仮設等する）網と解像度（２５万画素以上）が高度化したＣＣＤカメラ（角度が多角度対応の３６０度で赤外線センサーの読み取り位置侵入角度を選別できる）システムを設置して、検知した不法侵入者等を画像・映像・位置情報処理中継機（用途別）等が取得した情報信号等を通信ネットワーク（通信手段）等により直接巡回車輌内もしくは巡回車輌保管場所の警備員等に通報することによる機械警備事業者向けの支援サービスが提供できる請求項１に記載の巡回車輌内外乗せ換え簡単で商用多用機能に接続可能なビジネス支援装置のフランチャイズチェーン展開である。
【請求項３】
巡回車輌もしくは車輌保管場所から半径３キロメートル以内に限定在住の地域密着の要介護者に対する建物内等に赤外線センサー網と音声・位置情報処理中継機（用途別）等を設置して、検知した情報信号等が通信ネットワーク（通信手段）等により直接巡回車輌内もしくは巡回車輌保管場所に通報することによる介護事業者向けの支援サービスが提供できる請求項１に記載の巡回車輌内外乗せ換え簡単で商用多用機能に接続可能なビジネス支援装置のフランチャイズチェーン展開である。
【請求項４】
巡回車輌もしくは車輌保管場所から半径３キロメートル以内に限定在住の地域密着の契約者に対して、建物内に音声・位置情報処理中継機（用途別）等を設置し、検知した情報信号等が通信ネットワーク（通信手段）等により直接巡回車輌内もしくは巡回車輌保管場所に通報することによる旅客輸送事業者向けの支援サービスが提供できる請求項１に記載の巡回車輌内外乗せ換え簡単で商用多用機能に接続可能なビジネス支援装置のフランチャイズチェーン展開である。
【請求項５】
巡回車輌もしくは車輌保管場所から半径３キロメートル以内に限定在住の契約者の建物等に対して、音声・画像・映像・位置情報処理中継機（用途別）等を設置して、通信ネットワーク（通信手段）等の経路を通して音声・画像・映像・位置情報信号等が直接巡回車輌内もしくは車輌保管場所に通報することで多種多用の支援サービスが提供できる請求項１に記載の巡回車輌内外乗せ換え簡単で商用多用機能に接続可能なビジネス支援装置のフランチャイズチェーン展開である。
【請求項６】
介護保険適用事業登録者による巡回車輌もしくは車輌保管場所から半径３キロメートル以内に限定在住の６５歳以上の高齢者に対して、多種多用の支援サービスが介護保険により費用を補えるため、個人負担が軽減できる請求項１から請求項４に記載の巡回車輌内外乗せ換え簡単で商用多用機能に接続可能なビジネス支援装置のフランチャイズチェーン展開である。
【発明の詳細な説明】
【０００１】
【発明の属する技術分野】
本発明は、巡回車輌もしくは車輌保管場所から半径３キロメートル以内に限定して、地域在住の契約者の建物周辺等に対し、音声・画像・映像・位置情報処理中継機（用途別）等を設置し、取得した情報が通信ネットワーク（通信手段）等の経路を通して音声・画像・映像・位置情報信号等が直接巡回車輌内もしくは車輌保管場所に設置されているＣＴＩ（コンピュータ・テレフォニー・インテグレーション）システムサーバーに搬送され、情報分析が行われ処理された音声・画像・映像・位置情報等がＵＳＢプラグケーブルにより接続したポータブルカーナビ（歩行中使用可能）・パソコン・ＰＤＡ等の液晶画面上に音声・画像・映像・位置情報表示等でき、視覚・聴覚等により認識し、内蔵もしくは外付けしたモデムに接続した携帯電話・ＩＰ電話等の回線網を介して建物内の契約者が利用する電話回線等に繋がり通話等でき、小回りの利く地域に密着したサービスが提供できる手段を容易にしようとする目的達成を助ける技術的手段を利用した巡回車輌内外乗せ換え簡単で商用多用機能に接続可能なビジネス支援装置のフランチャイズチェーン展開に関するものである。
【０００２】
【従来の技術】
従来、ビジネス支援装置と言えば欠かす事のできない指令センターを省略できず、何らかの技術的補助手段が求められていた。そこで、大規模な指令センターを経由せず、機動力が増大できるように巡回車輌もしくは車輌保管場所から半径３キロメートル以内に限定して在住の契約者の建物周辺等と巡回車輌もしくは車輌保管場所に指令センターを置くことで、１分１秒でもいち早く小回りの利く地域に密着したサービスが提供できる。従来、このような目的達成を助ける有効な技術的手段を利用した巡回車輌内外乗せ換え簡単で商用多用機能に接続可能なビジネス支援装置のフランチャイズチェーン展開が準備されていなかった。
【０００３】
【発明が解決しようとする課題】
本発明の課題は、欠かす事のできない指令センターを省略して機動力を増大できるように巡回車輌もしくは車輌保管場所から半径３キロメートル以内に限定して在住の契約者の建物周辺等に対して、音声・画像・映像・位置情報処理信号等を通信ネットワーク（通信手段）等の経路を通して搬送する手段により、１分１秒でもいち早くサービス支援活動が理想的に躍進する助けとなる技術的手段を利用した巡回車輌内外乗せ換え簡単で商用多用機能に接続可能なビジネス支援装置のフランチャイズチェーン展開を提供することである。
【０００４】
【課題が解決しようとする手段】
上記の課題は、契約者の建物周辺等に対して音声・画像・映像・位置情報処理中継機（用途別）等を備え、取得した信号等を通信ネットワーク（通信手段）等の経路を通して直接巡回車輌もしくは車輌保管場所に設置されているＣＴＩ（コンピュータ・テレフォニー・インテグレーション）システムサーバーに搬送され、情報分析が行われ処理された音声・画像・映像・位置情報等がＵＳＢプラグケーブルにより接続したポータブルカーナビ（歩行中使用可能）・パソコン・ＰＤＡ等の液晶画面上に音声・画像・映像・位置情報表示等でき、視覚・聴覚等により認識し、内蔵もしくは外付けしたモデムに接続した携帯電話・ＩＰ電話等の回線網を介して建物内の契約者が利用する電話回線等に繋がり通話等できることで、いち早く駆け付け小回りの利く地域に密着したサービスが提供できる手段を容易にできる巡回車輌内外乗せ換え簡単で商用多用機能に接続可能なビジネス支援装置のフランチャイズチェーン展開により達成することができる。
【０００５】
欠かす事のできない指令センターを省略して機動力を増大できるようにするため、巡回車輌もしくは車輌保管場所から半径３キロメートル以内に限定在住の契約者に対するサービス提供できるようにした。
【０００６】
契約者の建物周辺等に対して赤外線センサー（窓・出入口附近等に埋設・敷設・仮設等する）網と解像度（２５万画素以上）が高度化したＣＣＤカメラ（角度が多角度対応の３６０度で赤外線センサーの読み取り位置侵入角度を選別できる）システムを設置して、検知した不法侵入者の画像・映像・位置情報を情報処理中継機（用途別）等が、取得した情報信号を通信ネットワーク（通信手段）の経路を通して（搬送できるようにした。
【０００７】
上記の搬送した情報信号は巡回車輌内もしくは車輌保管場所に設置されているＣＴＩ（コンピュータ・テレフォニー・インテグレーション）システムサーバーに搬送され、情報分析が行われ処理できるようにした。
【０００８】
上記の情報分析が終了すると、ＵＳＢプラグケーブルにより接続したポータブルカーナビ（歩行中使用可能）・パソコン・ＰＤＡ等の液晶画面上に音声・画像・映像・位置情報表示等でき、視覚・聴覚等により認識することができるようにした。
【０００９】
更に、内蔵もしくは外付けしたモデムに接続した携帯電話・ＩＰ電話等の回線網を介して建物内の契約者が利用する電話回線等に繋がり通話等できるようにした。
【００１０】
契約者を巡回車輌もしくは車輌保管場所から半径３キロメートル以内に限定して、欠かす事のできない指令センターを省略して機動力が増大したことにより、１分１秒でもいち早くサービス支援活動ができ小回りの利く地域に密着したサービスが提供できるようにした。
【００１１】
上記により、１分１秒でもいち早くサービス支援活動が望まれるため自動的に正確な送信動作を行うことが好ましい。
【００１２】
すなわち、契約者を巡回車輌もしくは車輌保管場所から半径３キロメートル以内に限定して、設置した機器一式と情報処理中継機（用途別）等を備え、取得した信号等を通信ネットワーク（通信手段）により、直接巡回車輌内もしくは車輌保管場所の機器一式に搬送することができ、情報処理が終了することで、小回りの利く地域に密着したサービスを１分１秒でもいち早くサービス支援活動が理想的に躍進できる多種多用の支援サービスが提供できる巡回車輌内外乗せ換え簡単で商用多用機能に接続可能なビジネス支援装置のフランチャイズチェーン展開の営業開始ができるようにした。
【００１３】
【実施例】
以下に、巡回車輌内外乗せ換え簡単で商用多用機能に接続可能なビジネス支援装置のフランチャイズチェーン展開の一実施例を挙げる。図１は巡回車輌内外乗せ換え簡単で商用多用機能に接続可能なビジネス支援装置のフランチャイズチェーン展開の全体構成を示す概念である。従って、欠かす事のできない指令センターを省略して機動力を増大できるように巡回車輌もしくは車輌保管場所から半径３キロメートル以内に限定して在住の契約者の建物周辺等に対して赤外線センサー（窓・出入口附近等に埋設・敷設・仮設等する）網と解像度（２５万画素以上）が高度化したＣＣＤカメラ（角度が多角度対応の３６０度で赤外線センサーの読み取り位置侵入角度を選別できる）システム等と音声・画像・映像・位置情報処理中継機（用途別）等を設置して、取得した情報信号を通信ネット・ワーク（通信手段）の経路を通して搬送でき、準備した巡回車輌もしくは車輌保管場所に設置されているＣＴＩ（コンピュータ・テレフォニー・インテグレーション）システムサーバーに直接搬送され、情報分析が行われ処理された音声・画像・映像・位置情報等がＵＳＢプラグケーブルにより接続したポータブルカーナビ（歩行中使用可能）・パソコン・ＰＤＡ等の液晶画面上に音声画像・映像・位置情報表示等でき、視覚・聴覚等により認識し、内蔵もしくは外付けしたモデムに接続した携帯電話・ＩＰ電話等の回線網を介して建物内の契約者が利用する電話回線等に繋がり通話等できることで、いち早く駆け付け小回りの利く地域に密着したサービスが提供できる手段が容易にでき、機器一式は小型・軽量、設置場所を変えられ、持ち歩けて、２４時間サービス支援活動ができることからなる。
【００１４】
契約者の建物周辺等に赤外線センサー網と解像度（２５万画素以上）が高度化したＣＣＤカメラ（角度が多角度対応の３６０度で赤外線センサーの読み取り位置侵入角度を選別できる）システムを設置して、検知した情報を情報処理中継機（用途別）等が情報信号等として巡回車輌もしくは車輌保管場所から半径３キロメートル以内に限定配置の巡回車輌内もしくは車輌保管場所に通信ネット・ワーク（通信手段）等の経路を通して直接搬送できる。
【００１５】
上記の解像度（２５万画素以上）が高度化したＣＣＤカメラ（角度が多角度対応の３６０度で赤外線センサーの読み取り位置侵入角度を選別できる）システムは、契約者の建物周辺等の景観を損なわない配慮と不法侵入者角度を予測した充分な下調べのうえ設置場所を選んで決める。
【００１６】
巡回車輌もしくは車輌保管場所から半径３キロメートル以内に限定在住の契約者の建物周辺等に対して装備した機器一式と巡回車輌もしくは車輌保管場所に装備した機器一式とが連動作動すると通信ネットワーク（通信手段）等の技術的手段が開始され、機動力が発揮でき、１分１秒でもいち早くサービス支援活動が理想的に躍進できる。
【００１７】
最大の特徴は、欠かす事のできない指令センターを省略して機動力を増大できるようにするため、巡回車輌もしくは車輌保管場所から半径３キロメートル以内に限定在住の契約者に対するサービス提供である。
【００１８】
待機中もしくは巡回中に契約者の緊急指令を取得した場合に仮眠中であっても、睡眠中であっても車輌内もしくは車輌保管場所に装備した機器一式が契約者との交信により、いち早く駆け付ける手段を巡回車輌もしくは車輌保管場所から半径３キロメートル以内に限定在住の契約者に対するサービス提供である。
【００１９】
車輌内もしくは車輌保管場所に装備した機器一式は小型・軽量、設置場所を変えられ、持ち歩けて、２４時間いち早く駆け付ける手段を巡回車輌もしくは車輌保管場所から半径３キロメートル以内に限定在住の契約者に対するサービス提供である。
【００２０】
契約者の建物等に対して、赤外線センサー網と音声・画像・映像・位置情報処理中継機（用途別）等を設置して、取得した情報信号等を通信ネットワーク（通信手段）等の経路を通して音声・画像・映像・位置情報信号等が直接巡回車輌内もしくは車輌保管場所に２４時間緊急指令として自動的に行える。
【００２１】
契約者の建物等から直接巡回車輌もしくは車輌保管場所に設置されているＣＴＩ（コンピュータ・テレフォニー・インテグレーション）システムサーバーに搬送された情報は分折が行われ処理される。
【００２２】
上記の情報は分析が行われ処理した後にＵＳＢプラグケーブルにより接続したポータブルカーナビ（歩行中使用可能）・パソコン・ＰＤＡ等の液晶画面上に、視覚・聴覚等により認識される。
【００２３】
また、接続したポータブルカーナビ（歩行中使用可能）・パソコン・ＰＤＡ等に内蔵もしくは外付けしたモデムに接続した携帯電話・ＩＰ電話等の回線網を介して建物内の契約者が利用する電話回線等に繋がり通話等が行えるため、危機管理体制が充実する。
【００２４】
従って、巡回車輌もしくは車輌保管場所から半径３キロメートル以内に限定在住の契約者に対して、いち早く駆け付け小回りの利く地域に密着したサービスが提供できる手段が容易になり、機器一式は小型・軽量、設置場所を変えられ、持ち歩けて、２４時間サービス支援活動ができる。
【００２５】
現在既に、機械警備事業者、介護事業者、旅客輸送事業者等の経営者等は、フランチャイズチェーン展開容易で現在の自動管理システムでは短縮できない出動時間を容易に減少することが可能になり、契約者に対して信頼がより一層深まりそれぞれの事業の効率化も見込め地域密着の限定した安心・安全へのサービスが望める。
【００２６】
特に、機械警備事業を開始する希望者で、これからフランチャイズチェーン展開を望む実務経験３年以上の警備員といずれはフランチャイズチェーン展開を望む２１歳以上（性別制限無し、３年間の実務経験終了者）で、警備員指導教育責任者資格者の試験合格者で、機械警備業務管理者資格者の試験合格者を対象に警備業の認定から開業までのプロセスをフランチャイザーが履行するため安心して加盟店として加入できる。
【００２７】
【発明の効果】
各業種に対して、例えば現在の自動管理システムにより機械警備事業者、介護事業者、旅客輸送事業者が支援サービスとして、巡回車輌もしくは車輌保管場所から半径３キロメートル以内に限定在住の契約者に限ったとしても、現在の自動管理システムだけであれば出動時間の短縮は見込めない、しかし、欠かす事のできない指令センターを省略できたことで機動力が増大する。
【００２８】
フランチャイズチェーン展開する各業種は、許認可を必要とするためそれぞれの許認可を受け、要件が満たされた各業種で、今まで培った豊富な経験を活かしたプロ意識の強い人材が貢献する。
【００２９】
介護保険適用事業登録業者等による６５歳以上の高齢者であれば、多種多用の支援サービスが介護保険で補えるため、個人負担を軽減できる。
【００３０】
契約者の建物等に情報処理中継機（用途別）等と機器一式を設置したことにより取得した情報等を、通信ネットワーク（通信手段）等の経路を通して音声・画像・映像・位置情報信号等を直接巡回車輌内もしくは車輌保管場所に２４時間緊急指令として自動的に行われ、ＣＴＩ（コンピュータ・テレフォニー・インテグレーション）システムサーバーに搬送され、情報の分析が行われ処理される。
【００３１】
巡回車輌もしくは車輌保管場所から半径３キロメートル以内に限定在住の契約者等に対して装備した機器一式と、巡回車輌もしくは車輌保管場所に装備した機器一式とが連動作動することで通信ネットワーク（通信手段）等の技術的手段が開始され、機動力が発揮でき、小回りの利く地域に密着したサービスが１分１秒でもいち早く多種多用の支援サービスとして提供できる巡回車輌内外乗せ換え簡単で商用多用機能に接続可能なビジネス支援装置のフランチャイズチェーン展開の支援活動が理想的に躍進できる。
【００３２】
上記により、巡回車輌内外乗せ換え簡単で商用多用機能に接続可能なビジネス支援装置のフランチャイズチェーン展開することで、巡回車輌もしくは車輌保管場所から半径３キロメートル以内に限定在住の契約者等に対する地域密着の限定した安心・安全へのサービスおよび危機管理の資質の向上が見込めるため、社会的に評価が上昇し、充実する。
【００３３】
【図面の簡単な説明】
【図１】本発明の全体構成を示す概念図である。
【符号の説明】
１．巡回車輌もしくは車輌保管場所
２．巡回車輌内もしくは車輌保管場所に設置したポータブルカーナビ（歩行中使用可能）・パソコン・ＰＤＡ等および内蔵もしくは外付けしたモデム等
３．ＣＴＩ（コンピュータ・テレフォニー・インテグレーション）システムサーバー
４．ＵＳＢプラグケーブル等
５．巡回車輌内外乗せ換え簡単で商用多用機能に接続可能なビジネス支援装置のフランチャイズチェーン展開（フランチャイザー）と各事業者との契約等
６．巡回車輌もしくは車輌保管場所から半径３キロメートル以内に限定在住の契約者の建物等
７．６５歳以上の高齢者等で介護保険サービスを受けられる人
８．巡回車輌もしくは車輌保管場所から半径３キロメートル以内に限定在住の契約者の建物内等に設置する情報処理中継機（用途別）等と解像度（２５万画素以上）が高度化したＣＣＤカメラ（角度が多角度対応の３６０度で赤外線センサーの読み取り位置侵入角度を選別できる）システムと通信ネットワーク等
９．巡回車輌もしくは車輌保管場所から半径３キロメートル以内に限定在住の契約者と各事業者との契約等
１０．巡回車輌もしくは車輌保管場所から半径３キロメートル以内に限定在住の契約者の建物等の外周等の設置する赤外線センサー（窓・出入口附近等に埋設・敷設・仮設等する）網等
１１．各業種にて今まで培った豊富な経験を活かしたプロ意識の強い人材等
１２．各事業者および事業所等
【図１】
2004342062.tif 000003